(57)【要約】    【課題】  メニューの選択位置を記憶させるか否か、また実行確認をするか否かを使用者が選択することのできる撮像装置及びその制御方法、撮像システム、情報処理装置並びにプログラム及び記憶媒体を提供する。    【解決手段】  撮像装置１００は、ＣＰＵ１０３と、ＣＰＵ１０３に夫々接続された撮像素子１０２、二次記憶装置１０５、記憶媒体１０６、表示器１０７、十字ボタン１０８、通信装置１０９、決定ボタン１１０、ショートカットボタン１１１及びメニューボタン１１２とを備え、十字ボタン１０８、決定ボタン１１０、ショートカットボタン１１１及びメニューボタン１１２は操作器１２０を構成する。決定ボタン１１０が押下されたときは、選択記録を記録することなく、転送確認画面３０２を表示し、ショートカットボタン１１１が押下されたときは、選択記録を記録し、転送確認画面３０２を表示しない。【選択図】      図４
2005223710.tif 000002
【特許請求の範囲】
【請求項１】
メニューを表示する表示器と、前記表示器に表示されたメニューを決定するメニュー決定ボタンと、前記決定されたメニューを記憶するメニュー記憶手段と、前記決定されたメニューを実行するか否かを確認する実行確認手段と、前記実行確認手段による前記確認を省略するショートカットボタンとを備える撮像装置において、前記メニュー決定ボタンが押下されたときは、前記決定されたメニューを前記メニュー記憶手段に記憶させずに前記実行確認手段に前記確認を実行させ、前記ショートカットボタンが押下されたときは、前記決定されたメニューを前記メニュー記憶手段に記憶させて前記実行確認手段に前記確認を実行させない制御手段とを備えることを特徴とする撮像装置。
【請求項２】
前記表示器は、前記撮像装置から外部装置に画像データを転送することを特徴とする請求項１記載の撮像装置。
【請求項３】
前記表示器は、外部装置からのメニュー表示の指令により起動することを特徴とする請求項１又は２記載の撮像装置。
【請求項４】
前記ショートカットボタンは、当該ショートカットボタンが有効であるときに点灯し、有効でないときに消灯又は点滅することを特徴とする請求項１乃至３のいずれか１項に記載の撮像装置。
【請求項５】
請求項１乃至４のいずれか１項に記載の撮像装置に接続された情報処理装置であって、前記撮像装置から転送された画像データを取得する画像取得手段を備える情報処理装置。
【請求項６】
請求項１乃至４のいずれか１項に記載の撮像装置と、請求項５記載の情報処理装置とを備える撮像システム。
【請求項７】
メニューを表示する表示器と、前記表示器にメニューを表示させるメニュー表示ボタンと、前記表示されたメニューを決定するメニュー決定ボタンと、実行確認ステップをショートカットするショートカットボタンとを備える撮像装置の制御方法であって、前記決定されたメニューを記憶するメニュー記憶ステップと、前記選択されたメニューを実行するか否かを確認する実行確認ステップと、前記メニュー決定ボタンが押下されたときは、前記決定されたメニューを前記メニュー記憶ステップで記憶させずに前記実行確認ステップで前記確認を実行させ、前記ショートカットボタンが押下されたときは、前記決定されたメニューを前記メニュー記憶ステップで記憶させて前記実行確認ステップで前記確認を実行させない制御ステップとを備えることを特徴とする撮像装置の制御方法。
【請求項８】
メニューを表示する表示器と、前記表示器にメニューを表示させるメニュー表示ボタンと、前記表示されたメニューを決定するメニュー決定ボタンと、実行確認モジュールをショートカットするショートカットボタンとを備える撮像装置の制御方法をコンピュータに実行させるプログラムであって、前記決定されたメニューを記憶するメニュー記憶モジュールと、前記選択されたメニューを実行するか否かを確認する実行確認モジュールと、前記メニュー決定ボタンが押下されたときは、前記決定されたメニューを前記メニュー記憶モジュールで記憶させずに前記実行確認モジュールに前記確認を実行させ、前記ショートカットボタンが押下されたときは、前記決定されたメニューを前記メニュー記憶モジュールで記憶させて前記実行確認モジュールに前記確認を実行させない制御モジュールとをコンピュータに実行させることを特徴とするプログラム。
【請求項９】
請求項８記載のプログラムを格納することを特徴とするコンピュータ読み取り可能な記憶媒体。
【発明の詳細な説明】
【技術分野】
【０００１】
本発明は、撮像装置及びその制御方法、撮像システム、情報処理装置並びにプログラム及び記憶媒体に関し、特に、撮影した画像データを情報処理装置に転送する機能を持つ撮像装置及びその制御方法、撮像システム、情報処理装置並びにプログラム及び記憶媒体に関する。
【背景技術】
【０００２】
従来の撮像システムは、互いに接続することができるデジタルカメラ及びコンピュータを備える。使用者がデジタルカメラで撮影した画像をコンピュータに転送する場合、デジタルカメラとコンピュータとを接続し、コンピュータから転送の操作を行う。
【０００３】
一方、デジタルカメラは、液晶ディスプレイといくつかのボタンを備えており、使用者はこれらを操作することによって、メニューを呼び出して各種の設定を行うことができる。このときの操作の例は、
１．［MENU］ボタンを押下して設定メニューを呼び出す。
【０００４】
２．十字ボタンを操作して、選択するメニュー項目を指し示す表示を選択すべき項目まで移動させる（以下、この表示動作を「フォーカス」といい、この表示が項目を指し示していることを「フォーカスが合っている」という）。
【０００５】
３．［SET］ボタンを押下して、フォーカスの合っている項目を決定する。
【０００６】
４．決定した項目に対応した機能が実行される。
のようになる（例えば、特許文献１参照）。
【０００７】
上記メニューには、デジタルカメラの機種によって、前回選択したときの状態を記憶しないものと記憶するものとがある。前者は、メニューを表示させたときに常に既定の項目、例えば一番上の項目にフォーカスが合っている。後者は、メニューを表示させたときに、前回選択した項目にフォーカスが合っており、例えば、前回に上から２番目の項目を選択していれば、その次にメニューを表示させたときには上から２番目の項目にフォーカスが合っている。
【０００８】
前者は、メニューを表示させたときにフォーカスが合っている項目が常に一定であるため、分かり易いという利点があるのに対し、後者は、特定の項目をよく選択するならば、初めからその項目にフォーカスが合っている可能性が高く、フォーカスを移動させる手間が省けるという利点がある。
【０００９】
また、メニューから項目を選択したときに、本当にその機能を実行するか否かの確認が出る場合もある。使用者は、実行するのなら［OK］を、中止するのなら［キャンセル］を選択する。この確認は、主に全画像の消去等、データを失う危険を伴う機能に対して実行される。
【特許文献１】特開平１１−２７２３８９号公報
【発明の開示】
【発明が解決しようとする課題】
【００１０】
上記２つの方法は、既に述べたように夫々異なった利点があるが、使用者や使用状況によって、これらのうちどちらが適しているかは、一概には決められず、メニューの動作としては、どちらか一方を選択しなければならないという欠点がある。
【００１１】
また、メニューから項目を選択したときに実行確認をすることは、安全性を高めるという利点はあるが、操作の手間が増えるという欠点もある。
【００１２】
本発明の目的は、メニューの選択位置を記憶させるか否か、また実行確認をするか否かを使用者が選択することのできる撮像装置及びその制御方法、撮像システム、情報処理装置並びにプログラム及び記憶媒体を提供することにある。
【課題を解決するための手段】
【００１３】
上記目的を達成するために、請求項１記載の撮像装置は、メニューを表示する表示器と、前記表示器に表示されたメニューを決定するメニュー決定ボタンと、前記決定されたメニューを記憶するメニュー記憶手段と、前記決定されたメニューを実行するか否かを確認する実行確認手段と、前記実行確認手段による前記確認を省略するショートカットボタンとを備える撮像装置において、前記メニュー決定ボタンが押下されたときは、前記決定されたメニューを前記メニュー記憶手段に記憶させずに前記実行確認手段に前記確認を実行させ、前記ショートカットボタンが押下されたときは、前記決定されたメニューを前記メニュー記憶手段に記憶させて前記実行確認手段に前記確認を実行させない制御手段とを備えることを特徴とする。
【００１４】
請求項２記載の撮像装置は、請求項１記載の撮像装置において、前記表示器は、前記撮像装置から外部装置に画像データを転送することを特徴とする。
【００１５】
請求項３記載の撮像装置は、請求項１又は２記載の撮像装置において、前記表示器は、外部装置からのメニュー表示の指令により起動することを特徴とする。
【００１６】
請求項４記載の撮像装置は、請求項１乃至３のいずれか１項に記載の撮像装置において、前記ショートカットボタンは、当該ショートカットボタンが有効であるときに点灯し、有効でないときに消灯又は点滅することを特徴とする。
【００１７】
上記目的を達成するために、請求項５記載の情報処理装置は、請求項１乃至４のいずれか１項に記載の撮像装置に接続された情報処理装置であって、前記撮像装置から転送された画像データを取得する画像取得手段を備えることを特徴とする。
【００１８】
上記目的を達成するために、請求項６記載の撮像システムは、請求項１乃至４のいずれか１項に記載の撮像装置と、請求項５記載の情報処理装置とを備えることを特徴とする。
【００１９】
上記目的を達成するために、請求項７記載の撮像装置の制御方法は、メニューを表示する表示器と、前記表示器にメニューを表示させるメニュー表示ボタンと、前記表示されたメニューを決定するメニュー決定ボタンと、実行確認ステップをショートカットするショートカットボタンとを備える撮像装置の制御方法であって、前記決定されたメニューを記憶するメニュー記憶ステップと、前記選択されたメニューを実行するか否かを確認する実行確認ステップと、前記メニュー決定ボタンが押下されたときは、前記決定されたメニューを前記メニュー記憶ステップで記憶させずに前記実行確認ステップで前記確認を実行させ、前記ショートカットボタンが押下されたときは、前記決定されたメニューを前記メニュー記憶ステップで記憶させて前記実行確認ステップで前記確認を実行させない制御ステップとを備えることを特徴とする。
【００２０】
上記目的を達成するために、請求項８記載のプログラムは、メニューを表示する表示器と、前記表示器にメニューを表示させるメニュー表示ボタンと、前記表示されたメニューを決定するメニュー決定ボタンと、実行確認モジュールをショートカットするショートカットボタンとを備える撮像装置の制御方法をコンピュータに実行させるプログラムであって、前記決定されたメニューを記憶するメニュー記憶モジュールと、前記選択されたメニューを実行するか否かを確認する実行確認モジュールと、前記メニュー決定ボタンが押下されたときは、前記決定されたメニューを前記メニュー記憶モジュールで記憶させずに前記実行確認モジュールに前記確認を実行させ、前記ショートカットボタンが押下されたときは、前記決定されたメニューを前記メニュー記憶モジュールで記憶させて前記実行確認モジュールに前記確認を実行させない制御モジュールとをコンピュータに実行させることを特徴とする。
【００２１】
上記目的を達成するために、請求項９記載の記憶媒体は、請求項８記載のプログラムを格納することを特徴とする。
【発明の効果】
【００２２】
請求項１記載の撮像装置、請求項５記載の情報処理装置、請求項６記載の撮像システム、請求項７記載の制御方法、請求項８記載のプログラム、及び請求項９記載のコンピュータ読み取り可能な記憶媒体によれば、メニュー決定ボタンが押下されたときは、決定されたメニューをメニュー記憶手段に記憶させずに実行確認手段に確認を実行させ、ショートカットボタンが押下されたときは、決定されたメニューをメニュー記憶手段に記憶させて実行確認手段に確認を実行させないので、メニューの選択位置を記憶させるか否か、また実行確認をするか否かを使用者が選択することができる。
【００２３】
請求項４記載の撮像装置によれば、ショートカットボタンが有効であるときに点灯し、有効でないときに消灯又は点滅するので、メニューの選択位置を記憶しているか否かを使用者が容易に確認することができる。
【発明を実施するための最良の形態】
【００２４】
以下、本発明の実施の形態を図面を用いて詳述する。
【００２５】
図１は、本発明の実施の形態に係る撮像装置の構成を概略的に示すブロック図である。
【００２６】
図１において、例えばデジタルカメラの撮像装置１００は、ＣＰＵ１０３と、ＣＰＵ１０３に夫々接続された撮像素子１０２、一次記憶装置１０４、二次記憶装置１０５（メニュー記憶手段）、記憶媒体１０６、表示器１０７、十字ボタン１０８、通信装置１０９、決定ボタン１１０（メニュー決定ボタン）、ショートカットボタン１１１及びメニューボタン１１２とを備え、撮像装置１００はまた、撮像素子１０２に接続された光学系１０１を備える。十字ボタン１０８、決定ボタン１１０、ショートカットボタン１１１及びメニューボタン１１２は操作器１２０を構成する。
【００２７】
ＣＰＵ１０３は、各種の演算や、撮像装置１００を構成する各部分の制御を行う。光学系１０１は、レンズ、シャッター、絞りを備えており、被写体からの光を適切な量とタイミングで撮像素子１０２に結像させる。撮像素子１０２は、光学系１０１を通って結像した光を画像データに変換する。
【００２８】
一次記憶装置１０４は、一時的なデータを記憶し、ＣＰＵ１０３の作業用に使われる。二次記憶装置１０５は、撮像装置１００を制御するためのプログラム（ファームウェア）や各種の設定情報を記憶する。記憶媒体１０６は、撮影した画像データなどを記憶する。撮影後に記憶媒体１０６を取り外し、パーソナルコンピュータなどに装着してデータを読み出すことが可能である。表示器１０７は、撮影時のビューファインダー画像の表示、撮影した画像の表示、対話的な操作のための文字の表示、メニューの表示等を行う。十字ボタン１０８は、上下左右の方向の入力を受け付ける。通信装置１０９は、外部装置としての後述する図３の情報処理装置２００と接続して、制御コマンドやデータのやり取りを行う。通信装置１０９は、有線であるか無線であるかや、情報処理装置２００と直接接続するかネットワークを介して接続するか等は問わない。
【００２９】
決定ボタン１１０とショートカットボタン１１１は、両者ともメニューにおいてフォーカスの合っている項目で決定するためのものであるが、前者は決定した項目が記憶されず、後者は記憶されるという違いがある。また、ショートカットボタン１１１には発光機能があり、点灯、消灯、点滅によりボタンの受付状態を示す。この発光機能は、ボタン自体が光るほかに、ボタンとは別の箇所に発光装置を設けてもよい。
【００３０】
決定ボタン１１０を押下してメニューの項目を決定したときは、そのときの項目は記憶されず、次回メニューを呼び出したときも、前回と同じ項目にフォーカスが合った状態で表示される。ショートカットボタン１１１を押下してメニューの項目を決定したときは、そのときの項目が記憶され、次回メニューを呼び出したときは、前回選択した項目にフォーカスが合った状態で表示される。
【００３１】
メニューボタン１１２は、メニュー３０１を呼び出す機能を持つ。
【００３２】
図２（ａ）〜図２（ｄ）は、図１における表示器１０７の表示例を説明するのに用いられる図である。
【００３３】
図２（ａ）のメニュー表示画面３０１は、実行する機能を選択するメニューを表す。アンダーラインの引かれている項目が、フォーカスの当たっている項目である。このフォーカスを移動させて、選択したい項目を指定する。
【００３４】
図２（ｂ）の転送確認画面３０２は、転送を行うか否かの確認を使用者に促す画面である。［全画像］、［未転送画像］、［送信指定画像］といった通常複数の画像データをまとめて転送する機能を実行する前に表示される。
【００３５】
図２（ｃ）の転送中表示画面３０３は、現在画像データの転送中であることを示す。［全画像］、［未転送画像］、［送信指定画像］といった、通常複数の画像データをまとめて転送する機能を実行している間に表示される。
【００３６】
図２（ｄ）の画像選択画面３０４は、画像を１枚ずつ見ながら転送を指定するための画面である。［画像を選んで転送］、［パソコンの背景］を選択したときに表示される。
【００３７】
図３は、本発明の実施の形態に係る情報処理装置の構成を概略的に示す図である。
【００３８】
図３において、例えばコンピュータの情報処理装置２００は、ＣＰＵ２０３と、ＣＰＵ２０３に夫々接続された表示器２０１、操作器２０２、一次記憶装置２０４、二次記憶装置２０５及び通信装置２０６とを備える。
【００３９】
ＣＰＵ２０３は、各種の演算や情報処理装置２００を構成する各部分の制御を行う。表示器２０１は、文字や画像等を表示する。操作器２０２は、使用者の操作を受け付ける。一次記憶装置２０４は、一時的なデータを記憶し、ＣＰＵ２０３の作業用に使われる。二次記憶装置２０５は、情報処理装置２００を制御するためのオペレーティングシステムや各種アプリケーションのプログラムを記憶する。
【００４０】
撮像装置１００でプログラムによって参照されるデータには、前回選択記録データがあり、この前回選択記録データは、メニュー３０１において最後に選択された項目を記録したものである。但し、項目を選択した際には、後述するように記憶する場合としない場合がある。前回選択記録は二次記憶装置１０５に記録されるため、電源切断後も保持される。
【００４１】
以下の説明では、これらの変数やデータに格納される値として特定の名称を用いているが、実際にはそれらに対応した数値や文字が使用される。
【００４２】
図１の撮像装置と図３の情報処理装置は撮像システムを構成する。この撮像システムにおいて、撮像装置１００から情報処理装置２００に画像転送を行うときは、撮像装置１００は、後述する図４〜図６の画像転送処理を実行し、情報処理装置２００は、撮像装置１００による画像転送処理と連携して、後述する図７の画像転送処理を実行する。
【００４３】
図４〜図６は、本発明の実施の形態に係る撮像装置によって実行される画像転送処理のフローチャートである。
【００４４】
図４〜図６の処理は、撮像装置１００において、撮像装置１００が情報処理装置２００に接続されたとき、ＣＰＵ１０３が二次記憶装置１０５に記憶されたプログラムを実行することにより行われる。
【００４５】
図４において、情報処理装置２００からメニュー表示要求を受け付けると（ステップＳ４０１でＹＥＳ）、二次記憶装置１０５に記憶されている前回選択記録を読み出し（ステップＳ４０２）、メニュー表示画面３０１を表示器１０７に表示し（ステップＳ４０３）、前回選択記録に従ってメニュー表示画面３０１にフォーカスを表示する（ステップＳ４０４）。次いで、ショートカットボタン１１１を点灯して、このボタンの操作が可能になったことを示した上で（ステップＳ４０５）、使用者による十字ボタン１０８の操作を受け付け（ステップＳ４０６）、その操作に従って、メニュー３０１のフォーカス表示を変更して、十字ボタン１０８の上下の入力によってフォーカス表示を上下に移動させる（ステップＳ４０７）。
【００４６】
次いで、決定ボタン１１０が押下されたか否かを判別すると共に（ステップＳ４０８）、ショートカットボタン１１１が押下されたか否かを判別し（ステップＳ４０９）、ステップＳ４０８〜Ｓ４０９の各判別の結果、決定ボタン１１０が押下されず（ステップＳ４０８でＮＯ）、ショートカットボタン１１１が押下されたときは（ステップＳ４０９でＹＥＳ）、このときフォーカスの当たっていた項目、即ち選択された項目を前回選択記録に記録し（ステップＳ４１０）（制御手段）、図５のステップＳ５００に進む。
【００４７】
ステップＳ４０８の判別の結果、決定ボタン１１０が押下されたときは、ステップＳ４０９〜Ｓ４１０の処理を実行することなく、図５のステップＳ５００に進み、また、ステップＳ４０９の判別の結果、ショートカットボタン１１１が押下されないときは、ステップＳ４０６〜Ｓ４０９の処理を繰り返す。
【００４８】
続く図５のステップＳ５００において、選択された項目が［全画像］、［未転送画像］又は［送信指定画像］であるか否かを判別し、［全画像］、［未転送画像］又は［送信指定画像］でないときは、［画像を選んで転送］又は［パソコンの背景］であるか否かを判別する（ステップＳ５０１）。
【００４９】
ステップＳ５００〜Ｓ５０１の各判別の結果、選択された項目が［全画像］、［未転送画像］若しくは［送信指定画像］であるとき（ステップＳ５００でＹＥＳ）、又は［画像を選んで転送］若しくは［パソコンの背景］以外であれば（ステップＳ５０１でＮＯ）、ショートカットボタン１１１を消灯する（ステップＳ５０２）。
【００５０】
次いで、項目を選択するときに押下されたボタンが決定ボタン１１０であるか否かを判別し（ステップＳ５０３ａ）、決定ボタン１１０であるときは、転送確認表示画面を表示し（ステップＳ５０４）、（実行確認手段、制御手段）、転送確認の入力を十字ボタン１０８と決定ボタン１１０によって受け付け（ステップＳ５０５）、ステップＳ５０５における入力内容がＯＫか否かを判別し（ステップＳ５０６）、ＯＫでないときは、直ちに本処理を終了し、ＯＫであるときは、転送中表示画面３０３を表示器１０７に表示し（ステップＳ５０７）、転送対象となる画像データを記憶媒体１０６から読み出す（ステップＳ５０８）。転送対象となる画像データは、［全画像］ならば全ての画像データ、［未転送画像］ならばまだ転送していない画像データ、［送信指定画像］ならば予め送信指定されて送信指定のリストに追加された画像データとなる。
【００５１】
次いで、通信装置１０９を介して、情報処理装置２００に対してステップＳ５０８で読み出した画像データを転送し（ステップＳ５０９）、転送が終了すると（ステップＳ５１０でＹＥＳ）、本処理を終了する。
【００５２】
ステップＳ５０３ａの判別の結果、決定ボタン１１０が押下されないときは、ショートカットボタン１１１が押下されたか否かを判別し（ステップＳ５０３ｂ）、ショートカットボタン１１１が押下されたときは、ステップＳ５０４〜Ｓ５０６の処理を実行することなく、ステップＳ５０７へ進む。
【００５３】
ステップＳ５０１の判別の結果、選択された項目が［画像を選んで転送］若しくは［パソコンの背景］であれば、図６のステップＳ６０１の処理に進み、画像選択画面３０４を表示しする。十字ボタン１０８の右又は左が押下されず（ステップＳ６０２でＮＯ）、決定ボタン１１０及びショートカットボタン１１１が押下されず（ステップＳ６０４、Ｓ６０４ｂでＮＯ）、メニューボタン１１２が押下されたときは（ステップＳ６０９でＹＥＳ）、図４におけるステップＳ４０２の処理に進む。
【００５４】
ステップＳ６０２の判別の結果、十字ボタン１１０の右又は左が押下されたときは、ステップＳ６０２で押下されたキーに応じて、それまで表示していた画像の１つ前又は１つ後の画像を画像選択画面３０４として表示し、表示を更新した後、ステップＳ６０２の処理に戻る。
【００５５】
ステップＳ６０４の判別の結果、決定ボタン１１０が押下されたときは、又はステップＳ６０４ｂの判別の結果、ショートカットボタン１１１が押下されたときは、ショートカットボタン１１１を点滅させ（ステップＳ６０５）、転送対象の画像データを読み出し（ステップＳ６０６）、画像データを転送し（ステップＳ６０７）、ショートカットボタン１１１を点灯し（ステップＳ６０８）、ステップＳ６０２の処理に戻る。
【００５６】
図４〜図６の処理によれば、決定ボタン１１０が押下されたときは（ステップＳ４０８及びＳ５０３ａで夫々ＹＥＳ）、選択記録を記録する（ステップＳ４１０）ことなく、転送確認画面３０２を表示し（ステップＳ５０４）、ショートカットボタン１１１が押下されたときは（ステップＳ４０９及びＳ５０３ｂで夫々ＹＥＳ）、選択記録を記録し（ステップＳ４１０）、転送確認画面３０２を表示（ステップＳ５０４）しないので、メニューの選択位置を記録させるか否か、また転送の実行確認をするか否かを使用者が選択することができる。
【００５７】
図７は、本発明の実施の形態に係る情報処理装置によって実行される画像転送処理のフローチャートである。
【００５８】
図７の処理は、情報処理装置２００において、情報処理装置２００が撮像装置１００に接続されたときに、ＣＰＵ２０３が二次記憶装置２０５に記憶されたプログラムを実行することにより行われる。
【００５９】
図７において、まず、通信装置２０６を介して撮像装置１００にメニュー表示要求を送信し（ステップＳ７０１）、撮像装置１００から画像データを受信すると（ステップＳ７０２でＹＥＳ）、受信した画像データを二次記憶装置２０５に保存して（ステップＳ７０３）、全ての画像データを受信するまで（ステップＳ７０４でＹＥＳ）、ステップＳ７０２〜Ｓ７０４を繰り返して、本処理を終了する。
【００６０】
図７の処理によれば、撮像装置１００から画像データを受信すると（ステップＳ７０２でＹＥＳ）、受信した画像データを二次記憶装置２０５に保存するので、撮像装置１００における転送対象の画像データを情報処理装置２００の二次記憶装置２０５に保存することができる。
【００６１】
また、本発明の目的は、上記実施形態の機能を実現するソフトウェアのプログラムコードを記録した記憶媒体（又は記録媒体）を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００６２】
この場合、記憶媒体から読み出されたプログラムコード自体が前述した実施形態の機能を実現することになり、そのプログラムコードを記憶した記憶媒体は本発明を構成することになる。
【００６３】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００６４】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６５】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６６】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００６７】
【図１】本発明の実施の形態に係る撮像装置の構成を概略的に示すブロック図である。
【図２】（ａ）〜（ｄ）は、図１における表示器の表示例を説明するのに用いられる図である。
【図３】本発明の実施の形態に係る情報処理装置の構成を概略的に示す図である。
【図４】本発明の実施の形態に係る撮像装置によって実行される画像転送処理のフローチャートである。
【図５】本発明の実施の形態に係る撮像装置によって実行される画像転送処理のフローチャートである。
【図６】本発明の実施の形態に係る撮像装置によって実行される画像転送処理のフローチャートである。
【図７】本発明の実施の形態に係る情報処理装置における処理のフローチャートである。
【符号の説明】
【００６８】
１００  撮像装置
１０３  ＣＰＵ
１０５  二次記憶装置
１０７  表示器
１０９  通信装置
１１０  決定ボタン
１１１  ショートカットボタン
２００  情報処理装置
【図１】
2005223710.tif 000003
【図２】
2005223710.tif 000004
【図３】
2005223710.tif 000005
【図４】
2005223710.tif 000006
【図５】
2005223710.tif 000007
【図６】
2005223710.tif 000008
【図７】
2005223710.tif 000009